(57)【要約】【課題】住宅の玄関扉や事務所の出入口などの鍵を外出時に施錠した場合、その施錠動作を認識し、該動作を開始したことを無電源で瞬時に光や音等によって表示することで、ランニングコストを大幅に低減することができると共に、電池切れによる作動不良も確実に防止することができる作動確認装置を提供する。【解決手段】或る動作により発生する振動によって電流を発生する圧電素子と、この圧電素子が発生した電流を蓄電する第１の蓄電回路と、第１の蓄電回路の電圧が所定の電圧以上に達した時に信号を発信する無線送信回路と、上記圧電素子が発生した電流を蓄電する第２の蓄電回路と、第２の蓄電回路の電流を利用してＬＥＤを発光させるＬＥＤ駆動回路と、上記無線送信回路が送信を停止した時にＬＥＤ駆動回路を始動させる制御回路と、を備え、上記無線送信回路で送信が終了した時にＬＥＤを発光させるようにした。【選択図】図１
2005188123.tif 000002
【特許請求の範囲】
【請求項１】
或る動作を実行することにより発生する振動によって電流を発生する圧電素子と、この圧電素子が発生した電流を蓄電する第１の蓄電回路と、第１の蓄電回路の電圧が所定の電圧以上に達した時に信号を発信する無線送信回路と、上記圧電素子が発生した電流を蓄電する第２の蓄電回路と、第２の蓄電回路の電流を利用してＬＥＤを発光させるＬＥＤ駆動回路と、上記無線送信回路が送信を停止した時にＬＥＤ駆動回路を始動させる制御回路と、を備え、上記無線送信回路で送信が終了した時にＬＥＤを発光させるようにしたことを特徴とする作動確認装置。
【請求項２】
或る動作を実行することにより発生する振動によって電流を発生する圧電素子と、この圧電素子が発生した電流を蓄電する第１の蓄電回路と、第１の蓄電回路の電圧が所定の電圧以上に達した時に信号を発信する無線送信回路と、上記圧電素子が発生した電流を蓄電する第２の蓄電回路と、第２の蓄電回路の電流を利用してブザーを鳴動させるブザー駆動回路と、上記無線送信回路が送信を停止した時にブザー駆動回路を始動させる制御回路とを備え、上記無線送信回路で送信が終了した時にブザーなどの音を発生させるようにしたことを特徴とする作動確認装置。
【発明の詳細な説明】
【技術分野】
【０００１】
本発明は、防犯システム等の作動状態を確認することができる作動確認装置に係り、例えば、住宅の玄関扉や事務所の出入口などの施錠動作が確実に行われたことを、その施錠者が視認する等の場合に好適な作動確認装置に関する。
【背景技術】
【０００２】
従来、各種の防犯システムが提案され実用化されている。しかし、防犯システムの一部を構成する鍵が、確実に施錠されたか否か、すなわち防犯システムが動作を開始したか否かを、施錠者が簡単に確認できるものは少なかった。
【０００３】
例えば、住宅の玄関扉や事務所の出入口などの鍵を外出時に施錠すると、自動的に防犯システムが作動し、留守中に扉を開くと防犯システムが作動して警報を鳴らしたり、所定の管理先に通報したりするシステムが知られている（特許文献１乃至３）。
【０００４】
【特許文献１】特開２００２−２３５４７０号公報
【０００５】
【特許文献２】特開２００２−２２７４７９号公報
【０００６】
【特許文献３】特開平１１−０９３４７３号公報
【発明の開示】
【発明が解決しようとする課題】
【０００７】
しかし、これらの防犯システムにおいて、外出する場合に扉の施錠をした時に、確実に防犯システムが始動したか否かは確認する技術としては、例えば、家庭用電源や電池を用いて確認用のＬＥＤを発光させるものが殆どであるため、常時家庭電源を供給しておかなければならず、電力コストが嵩み、或は、電池交換が煩雑で、ともすれば、電池切れにより確認作業ができなくなる、という問題を有していた。
【０００８】
この発明は、かかる現状に鑑み創案されたものであって、その目的とするところは、例えば、住宅の玄関扉や事務所の出入口などの鍵を外出時に施錠した場合、その施錠動作によって防犯システムがその施錠動作を認識し、防犯システムとしての動作を開始したことを瞬時に光や音などによって表示することができ、しかも、無電源で作動したときにのみ上記光や音を発するように構成することで、ランニングコストを大幅に低減することができると共に、電池切れによる作動不良も確実に防止することができる作動確認装置を提供しようとするものである。
【課題を解決するための手段】
【０００９】
上記目的を達成するため、請求項１に記載の発明にあっては、作動確認装置を、或る動作を実行することにより発生する振動によって電流を発生する圧電素子と、この圧電素子が発生した電流を蓄電する第１の蓄電回路と、第１の蓄電回路の電圧が所定の電圧以上に達した時に信号を発信する無線送信回路と、上記圧電素子が発生した電流を蓄電する第２の蓄電回路と、第２の蓄電回路の電流を利用してＬＥＤを発光させるＬＥＤ駆動回路と、上記無線送信回路が送信を停止した時にＬＥＤ駆動回路を始動させる制御回路と、を備え、上記無線送信回路で送信が終了した時にＬＥＤを発光させるようにしたことを特徴とする。
【００１０】
また、請求項２に記載の発明にあっては、作動確認装置を、或る動作を実行することにより発生する振動によって電流を発生する圧電素子と、この圧電素子が発生した電流を蓄電する第１の蓄電回路と、第１の蓄電回路の電圧が所定の電圧以上に達した時に信号を発信する無線送信回路と、上記圧電素子が発生した電流を蓄電する第２の蓄電回路と、第２の蓄電回路の電流を利用してブザーを鳴動させるブザー駆動回路と、上記無線送信回路が送信を停止した時にブザー駆動回路を始動させる制御回路とを備え、上記無線送信回路で送信が終了した時にブザーなどの音を発生させるようにしたことを特徴とする。
【発明の効果】
【００１１】
以上説明したように、請求項１に記載の発明にあっては、或る動作を実行することにより発生する振動によって電流を発生する圧電素子と、この圧電素子が発生した電流を蓄電する第１の蓄電回路と、第１の蓄電回路の電圧が所定の電圧以上に達した時に信号を発信する無線送信回路と、上記圧電素子が発生した電流を蓄電する第２の蓄電回路と、第２の蓄電回路の電流を利用してＬＥＤを発光させるＬＥＤ駆動回路と、上記無線送信回路が送信を停止した時にＬＥＤ駆動回路を始動させる制御回路と、を備え、上記無線送信回路で送信が終了した時にＬＥＤを発光させるように構成したので、無電源で光による作動確認をすることができ、ランニングコストを大幅に低減することができると共に、電池切れによる作動不良も確実に防止することができる。
【００１２】
請求項２に記載の発明にあっては、或る動作を実行することにより発生する振動によって電流を発生する圧電素子と、この圧電素子が発生した電流を蓄電する第１の蓄電回路と、第１の蓄電回路の電圧が所定の電圧以上に達した時に信号を発信する無線送信回路と、上記圧電素子が発生した電流を蓄電する第２の蓄電回路と、第２の蓄電回路の電流を利用してブザーを鳴動させるブザー駆動回路と、上記無線送信回路が送信を停止した時にブザー駆動回路を始動させる制御回路とを備え、上記無線送信回路で送信が終了した時にブザーなどの音を発生させるように構成したので、無電源で音による作動確認をすることができ、ランニングコストを大幅に低減することができると共に、電池切れによる作動不良も確実に防止することができる。
【発明を実施するための最良の形態】
【００１３】
以下、添付図面に示す発明の実施の形態例に基づき、この発明を詳細に説明する。
【実施例１】
【００１４】
図１は、本発明になる施錠確認装置の動作を説明する回路図である。
【００１５】
図１において、Ｐ１およびＰ２は圧電素子、Ｄ１〜Ｄ６はダイオード、Ｄ７は逆流防止用のダイオード、Ｃ１およびＣ２はコンデンサである。
【００１６】
圧電素子Ｐ１およびＰ２は、施錠などの動作により瞬間的に電流を発生し、この電流はコンデンサＣ１およびＣ２に蓄電される。
【００１７】
１はスイッチ回路であり、コンデンサＣ１が充電されて一定以上の電圧になった場合にＯＮ動作を行ない、そのＯＮ動作の間、無線送信回路２を動作させて送信アンテナ２ａから信号を送信する。
【００１８】
送信アンテナ２ａからの無線信号は防犯システム３の受信アンテナ３ａにより受信され、防犯システム３が本来の防犯動作を開始する。
【００１９】
一方、スイッチ回路１は、ＯＮ動作を終了し、ＯＦＦ動作に復帰した時に制御回路４に対してパルスを発生し、このパルスを受けてＬＥＤ駆動回路５を動作状態とする。
【００２０】
スイッチ回路１がＯＮ動作を停止すると、無線送信回路２も送信動作を停止するので、その送信動作停止時に無線送信回路２にパルスを発生させ、そのパルスによってＬＥＤ駆動回路５を動作状態にすることもできる。
【００２１】
要は防犯システム３に防犯動作を開始させるための信号を送った後に、ＬＥＤ駆動回路５を動作状態にするような構成であればよい。
【００２２】
ＬＥＤ駆動回路５は、コンデンサＣ２に蓄電されていた電流により動作を開始し、ＬＥＤを発光させる。即ちＬＥＤはコンデンサ２の電圧が持続している間だけ発光する。
【００２３】
図２は図１の主要部分の電圧や動作を説明する図である。圧電素子Ｐ１およびＰ２が施錠時などの瞬間的な動作刺激により振動し、これによって発生した電圧がコンデンサＣ１およびＣ２に徐々に蓄電されてゆくが、圧電素子の振動が停止すれば当然蓄電動作は停止する。
【００２４】
コンデンサＣ１の電圧（Ａ）、すなわち図１の点Ａにおける電圧が、ある電圧に達するとスイッチ回路１が動作を開始するため、コンデンサ１の電圧（Ａ）は徐々に低下し、ある電圧以下になるとスイッチ回路１はＯＮ動作からＯＦＦ動作に復帰する。
【００２５】
従って無線送信回路２は、図２（Ｃ）に示すように、スイッチ回路１のＯＮ動作の間だけ無線信号を発信する。
【００２６】
一方コンデンサＣ２は、蓄電されたままの電圧を維持しているが、スイッチ回路１がＯＮ動作からＯＦＦ動作に変わった時に発生するパルスによって、制御回路４がＬＥＤ駆動回路５を動作状態とするため放電を開始し、この放電電流によってＬＥＤが発光する。
【００２７】
コンデンサＣ２の蓄電電流そのものによってＬＥＤを発光させてもよいが、コンデンサＣ２が放電する間だけＬＥＤ駆動回路５が他のスイッチング手段によってＬＥＤを発光させてもよい。
【００２８】
すなわち、図２（Ｄ）示すごとく、ＬＥＤはスイッチ回路１がＯＦＦ動作に復帰した瞬間から、コンデンサＣ２の電圧が所定の電圧に降下するまでの間、発光することになる。
【００２９】
ＬＥＤ駆動回路５はＬＥＤを発光させるだけでなく、ＬＥＤの代わりにブザーなどを鳴動させることも可能であり、発光と音を鳴らすという両方の動作をさせることも可能である。
【００３０】
このように本実施例１に係る施錠確認装置は、人間の施錠動作などにより圧電素子を機械的に刺激し、これによって発生する電圧を利用して防犯システム本体を動作状態にすると共に、ＬＥＤを発光させることによって施錠した人が目視によって防犯システムが正常に動作を開始したことを確認することができる。
【００３１】
実施例１では、ＬＥＤを発光させることによって施錠の確認を行っているが、ＬＥＤの代わりにブザーなどの音により確認することも可能である。
【００３２】
尚、上記実施例１では、この発明を施錠確認装置に適用した場合を例にとり説明したが、この発明にあってはこれに限定されるものではなく、各種装置の動作の確認が必要なものに適用することができることは勿論である。
【図面の簡単な説明】
【００３３】
【図１】この発明に係る作動確認装置の実施例１に係る施錠確認装置の構成を示す図である。
【図２】同施錠確認装置の主要部分における電圧や動作を説明する図である。
【符号の説明】
【００３４】
Ｐ１，Ｐ２  圧電素子
Ｄ１〜Ｄ７  ダイオード
１  スイッチ回路
２  無線送信回路
２ａ  送信アンテナ
３  防犯システム
３ａ  受信アンテナ
４  制御回路
５  ＬＥＤ駆動回路
【図１】
2005188123.tif 000003
【図２】
2005188123.tif 000004